(57)【要約】      （修正有）【課題】使用者の手で保持される携帯型表示装置へ送信するため、コンピュータの画像を確保できる携帯型画像共有システムを提供する。【解決手段】携帯型表示装置１がホストコンピュータからの画像を共有することを可能にするシステムが開示される。イメージ共有システムは携帯型表示装置１、伝送器２及びコンピュータ３から構成される。コンピュータへ接続される伝送器へ送信するため、コンピュータの画像はソフトウェアにより確保される。伝送器は表示のため画像を携帯型表示装置へ無線で送信する。携帯型表示装置を保持する使用者はコンピュータを見ることなく、コンピュータの画像を見ることができる。【選択図】図１
2010039701.tif 000002
【特許請求の範囲】
【請求項１】
そのインスタント画像を確保することができるソフトウェアを有するコンピュータと；
接続ポートは前記コンピュータへ電気的に接続され、第１プロセッサは伝送ユニットおよび前記接続ポートと電気的に接続され、確保された画像データは前記接続ポートを介して前記第１プロセッサへ送信され、そして前記第１プロセッサは前記処理された画像データを無線伝送のために前記伝送ユニットへ送信することを特徴とする、伝送ユニット、第１プロセッサ及び接続ポートを備える伝送器と；及び
第２プロセッサは受信器と表示器と電気的に接続され、前記受信器は前記伝送ユニットにより伝送された前記画像データを受信することが可能であり、前記受信器は前記受信された画像データを前記第２プロセッサへ送信し、次に前記第２プロセッサは前記処理された画像データを表示のため前記表示器へ送信することを特徴とする、第２プロセッサ、表示器及び受信器を備える携帯型表示装置と；を備える画像共有システム。
【請求項２】
前記接続ポートは前記コンピュータのＵＳＢソケットへ挿入するためのユニバーサルシリアルバス（ＵＳＢ）プラグであることを特徴とする、請求項１に記載の画像共有システム。
【請求項３】
前記伝送器は無線周波数信号を前記携帯表示装置へ伝送することを特徴とする、請求項１に記載のシステム。
【発明の詳細な説明】
【技術分野】
【０００１】
この発明は携帯型表示装置に関する。本発明は、特に画像共有システムで使用するための携帯型表示装置に関する。
【背景技術】
【０００２】
コンピュータプレゼンテーションは、ソフトウェア（マイクロソフトのパワーポイントのような）により作られるスライドをスクリーン上へ投影することにより行われる。このようなコンピュータプレゼンテーションは作成が容易であるだけでなく、カラフルである。プレゼンテーションのリモコンを使用して、発表者はプレゼンテーションを実施するコンピュータを操作するため、更なる援助を最早必要としない。一般にコンピュータによるプレゼンテーションは非常に便利でありかつ効果的である。
【０００３】
しかし、コンピュータプレゼンテーションには、なお欠点がある。もし発表者がプレゼンテーション用のリモコンを使用するならば、発表者はコンピュータの前に居続けることはできない。即ち、発表者はコンピュータのモニタを見にくい。発表者はスクリーン上に投影される画像を見ることができるが、プレゼンテーションが進行中は、発表者の背中は、通常スクリーンの方向を向く。従って、スライドが適切にスキップされたかを確認するため、又はスライドの内容を読むため、発表者は頻繁に振り向くか、又はスクリーン上の画像を見るため、常に聴衆と特定の角度を保たなければならない。それは非常に不便である。プレゼンテーションの流暢さが不都合に影響されるだけではなく、発表者、特に年配者にとって面倒さを感じさせる。
【発明の開示】
【０００４】
この発明の主な目的は、使用者の手で保持される携帯型表示装置へ送信するため、コンピュータの画像を確保できる携帯型画像共有システムを提供することである。携帯型表示装置は、発表者がコンピュータから離れていても、使用者がコンピュータ画像を容易にかつ迅速にチェックできるようにする、コンピュータと同画像を示すことができる。
【０００５】
上記目的を達成するため、この発明による画像共有システムは携帯型表示装置、伝送器及びコンピュータから構成される。コンピュータの画像は、コンピュータへ接続される伝送器へ送信するため、ソフトウェアにより確保される。伝送器は表示のため、画像を携帯型表示装置へ無線で送信する。携帯型表示装置を保持する使用者はコンピュータを見ることなく、コンピュータ画像を見ることができる。
【０００６】
本発明を図面と関連させ、より詳細に記述する。
【発明を実施するための最良の形態】
【０００７】
図１を参照して、この発明は主として携帯型表示装置１、伝送器２、及びコンピュータ３から構成される。コンピュータ３にインストールされるソフトウェアが適用される。ソフトウェアは、プレゼンテーションファイルのスライド画像のような、インスタント画像をコンピュータのモニタ上に確保することができる。その後、プレゼンテーションファイルは、典型的記述として採用される。
【０００８】
伝送器２は接続ポート２１を介してコンピュータ３へ電気的に接続される。コンピュータ３の画像を確保した後、データ圧縮のような処理を行うため、確保された画像データは伝送器２の第１プロセッサ２２へ送信される。次に、処理された画像データは伝送器２の伝送ユニット２３により無線で伝送される。携帯型表示装置１は伝送器２から伝送された画像データを受信するため、伝送ユニット２３に対応する受信器１１を有する。受信器１１により受信されたイメージデータは、データ解凍のような処理用第２プロセッサ１２へ送信される。第２プロセッサ１２は、次に処理された画像データを表示のため携帯型表示装置１上に設置される表示器１３へ送信する。携帯型表示装置１を保持する使用者は、表示器１３によりコンピュータのインスタント画像を見ることができる。
【０００９】
携帯型表示装置１と伝送器２の間の無線接続は無線周波数信号により実施される。接続ポート２１は限定されないが、コンピュータ３のＵＳＢソケットへ挿入できるユニバーサルシリアルバス（ＵＳＢ）プラグである。
【００１０】
この発明による画像共有システムは、表示のため携帯型表示装置へ伝送するため、インスタント画像を確保することができるので、もし携帯型表示装置とプレゼンテーション用リモコンが組み合わされれば、それは遥かに便利だろう。
【００１１】
発表者が聴衆とのかかわり又は他の理由によりプレゼンテーション席の中で動く場合、発表者はプレゼンテーションスライドを操作するため、プレゼンテーション用リモコンを使用することができる。更に、リモコンとこの発明の携帯型表示装置が組み合わされると、発表者は投影されるスライドのインスタント画像をチェックするため、リモコンを使用することができる。画像共有システムは、発表者が投影される画像をチェックするため、頻繁に振り向く必要がないように、発表者がリモコンを操作した後、直ぐに発表者がインスタント画像を確認することを可能にする。この発明は、従来より流暢にプレゼンテーションを行うことができる。
【００１２】
本発明をその好適実施例の観点で示し、そして述べてきたが、この発明はこの特定実施例に限定されず、付属の特許請求の範囲に規定される本発明の精神と範囲から離れることなく、多くの変更及び修正が実施されることが理解されるだろう。
【図面の簡単な説明】
【００１３】
【図１】本発明による好適実施例のブロック図である。
【符号の説明】
【００１４】
1：携帯型表示装置
2：伝送器
3：コンピュータ
【図１】
2010039701.tif 000003